(57)【要約】【課題】  蓋付き容器の蓋の開き角度を大きく且つ、開閉を円滑且つ確実に行うことができるものの提供。【解決手段】  蓋４の付根の幅方向の一端Ａから他端Ｂに中間位置Ｃを介して、滑らかな線状に連結する線状柔軟部４ａを形成する。そして、線状柔軟部４ａを境としてヒンジ部３と蓋４の付根との間に、厚み方向に凹から凸に反転屈曲する三次元曲面５を設ける。【選択図】図２
2019038599.tif 000002
【特許請求の範囲】
【請求項１】
開口内に収納物を収納する箱状の樹脂製容器の本体部（２）と、その本体部（２）の一側で、前記開口の平面方向の外側に、一体に突設形成されたヒンジ部（３）と、そのヒンジ部（３）に接続され、またはヒンジ部（３）と一体に形成されて、そのヒンジ部（３）の周りに片扉状に開閉する蓋（４）と、を具備する蓋付き容器において、
前記ヒンジ部（３）には、蓋（４）の他の部分に比べて厚み方向に柔軟に屈曲する線状の線状柔軟部（４ａ）を有し、
その線状柔軟部（４ａ）は、蓋（４）の付根の幅方向の一端（Ａ）から他端（Ｂ）に中間位置（Ｃ）を介して滑らかな線状に連結され、前記中間位置（Ｃ）は、前記一端（Ａ）と他端（Ｂ）を結ぶ直線（Ｓ）の外側に位置し、
その線状柔軟部（４ａ）を境として、ヒンジ部（３）と蓋（４）の付根との間に厚み方向に凹から凸に反転屈曲して弾性変形する三次元曲面（５）が設けられ、
その三次元曲面（５）は、蓋（４）の開状態で前記線状柔軟部（４ａ）を横断する断面が蓋（４）の外面側に凹曲面に形成され、その蓋（４）を開から閉方向に一定以上回動すると、ヒンジ部（３）の弾性により前記凹曲面が蓋（４）の外面側に凸曲面となり、その閉状態を自己保持するように形成されたことを特徴とする蓋付き容器。
【請求項２】
開口内に収納物を収納する樹脂製容器の本体部（２）と、その樹脂製容器の本体部（２）の一側に、端部が接続または嵌着され且つ、その端部にヒンジ部（３）を有して、そのヒンジ部（３）の周りに片扉状に開閉する蓋（４）と、を具備する蓋付き容器において、
前記ヒンジ部（３）には、蓋（４）の他の部分に比べて厚み方向に柔軟に屈曲する線状の線状柔軟部（４ａ）を有し、
その線状柔軟部（４ａ）は、蓋（４）の付根の幅方向の一端（Ａ）から他端（Ｂ）に中間位置（Ｃ）を介して滑らかな線状に連結され、前記中間位置（Ｃ）は、前記一端（Ａ）と他端（Ｂ）を結ぶ直線（Ｓ）の外側に位置し、
その線状柔軟部（４ａ）を境として、ヒンジ部（３）と蓋（４）の付根との間に厚み方向に凹から凸に反転屈曲して弾性変形する三次元曲面（５）が設けられ、
その三次元曲面（５）は、蓋（４）の開状態で前記線状柔軟部（４ａ）を横断する断面が蓋（４）の外面側に凹曲面に形成され、その蓋（４）を開から閉方向に一定以上回動すると、ヒンジ部（３）の弾性により前記凹曲面が蓋（４）の外面側に凸曲面となり、その閉状態を自己保持するように形成されたことを特徴とする蓋付き容器。
【請求項３】
前記線状柔軟部（４ａ）は、ヒンジ部（３）の厚みより薄く、幅の狭い線状に形成された請求項１に記載の蓋付き容器。
【請求項４】
前記線状柔軟部（４ａ）は、その中間位置（Ｃ）が容器の本体部（２）側に位置する請求項１または請求項２に記載の蓋付き容器。
【請求項５】
前記線状柔軟部（４ａ）は、その中間位置（Ｃ）が蓋（４）側に位置する請求項１または請求項２に記載の蓋付き容器。
【請求項６】
前記三次元曲面（５）の平面が、偏平な木の葉形に形成された請求項１〜請求項５に記載の蓋付き容器。
【発明の詳細な説明】
【技術分野】
【０００１】
本発明は、飲食物や各種材料を収納する蓋付き容器に関し、その蓋がヒンジの周りに開状態と閉塞状態とをそれぞれ維持できる自己保持機能を設けたものに関する。
【背景技術】
【０００２】
本発明者は、すでに、自己保持機能を有する蓋付き容器として、下記特許文献１に記載の容器を提案している。即ち、図１５に示す如く、弾性を有する蓋４のヒンジ部３を境に片開きするものにおいて、蓋４は、鎖線で示す開放状態から、実線で示す閉塞状態に変化する。
即ち、蓋４が開放された鎖線の状態では、その付根が本体部２に溶着され、その溶着部がヒンジ部３を形成する。そして、蓋４は開放状態では、外面側が凹曲面（曲率Ｒ１）となる。次いで、蓋４を回動して閉塞すると、弾性により凹曲面は凸曲面（曲率Ｒ２）に変化する。これは、蓋４の付根部回りに形成された三次元曲面５が、蓋４の回りに回転することにより、凹から凸にスイッチング変化するからである。即ち、蓋４はヒンジ回りに凹曲面から凸曲面に変形して、その閉状態が自己保持されるものである（特許文献１参照）。
【先行技術文献】
【特許文献】
【０００３】
【特許文献１】特開２０１５−８９８２８号公報
【発明の概要】
【発明が解決しようとする課題】
【０００４】
上記特許文献１に記載された蓋付き容器は、蓋が鎖線の開状態から実線の閉状態に変化するときの開閉角度θ１が比較的小さい欠点があった。そのため、蓋４を開放し、本体部２内の収容物の出し入れするとき、物と蓋４が干渉するおそれがある。
さらには、食品等の容器においては、内部の収納物の品質を保持するため、本体部２の開口のフランジ部１にシールフィ ルムを貼着し、密封する必要がある。しかしながら、蓋４の存在によりシールフィルムをフランジ部１に貼着し難い欠点がある。
そこで、本発明はこれらの問題点の解決することを課題とする。
【課題を解決するための手段】
【０００５】
請求項１に記載の本発明は、開口内に収納物を収納する箱状の樹脂製容器の本体部（２）と、その本体部（２）の一側で、前記開口の平面方向の外側に、一体に突設形成されたヒンジ部（３）と、そのヒンジ部（３）に接続され、またはヒンジ部（３）と一体に形成されて、そのヒンジ部（３）の周りに片扉状に開閉する蓋（４）と、を具備する蓋付き容器において、
前記ヒンジ部（３）には、蓋（４）の他の部分に比べて厚み方向に柔軟に屈曲する線状の線状柔軟部（４ａ）を有し、
その線状柔軟部（４ａ）は、蓋（４）の付根の幅方向の一端（Ａ）から他端（Ｂ）に中間位置（Ｃ）を介して滑らかな線状に連結され、前記中間位置（Ｃ）は、前記一端（Ａ）と他端（Ｂ）を結ぶ直線（Ｓ）の外側に位置し、
その線状柔軟部（４ａ）を境として、ヒンジ部（３）と蓋（４）の付根との間に厚み方向に凹から凸に反転屈曲して弾性変形する三次元曲面（５）が設けられ、
その三次元曲面（５）は、蓋（４）の開状態で前記線状柔軟部（４ａ）を横断する断面が蓋（４）の外面側に凹曲面に形成され、その蓋（４）を開から閉方向に一定以上回動すると、ヒンジ部（３）の弾性により前記凹曲面が蓋（４）の外面側に凸曲面となり、その閉状態を自己保持するように形成されたことを特徴とする蓋付き容器である。
【０００６】
請求項２に記載の発明は、開口内に収納物を収納する樹脂製容器の本体部（２）と、その樹脂製容器の本体部（２）の一側に、端部が接続または嵌着され且つ、その端部にヒンジ部（３）を有して、そのヒンジ部（３）の周りに片扉状に開閉する蓋（４）と、を具備する蓋付き容器において、
前記ヒンジ部（３）には、蓋（４）の他の部分に比べて厚み方向に柔軟に屈曲する線状の線状柔軟部（４ａ）を有し、
その線状柔軟部（４ａ）は、蓋（４）の付根の幅方向の一端（Ａ）から他端（Ｂ）に中間位置（Ｃ）を介して滑らかな線状に連結され、前記中間位置（Ｃ）は、前記一端（Ａ）と他端（Ｂ）を結ぶ直線（Ｓ）の外側に位置し、
その線状柔軟部（４ａ）を境として、ヒンジ部（３）と蓋（４）の付根との間に厚み方向に凹から凸に反転屈曲して弾性変形する三次元曲面（５）が設けられ、
その三次元曲面（５）は、蓋（４）の開状態で前記線状柔軟部（４ａ）を横断する断面が蓋（４）の外面側に凹曲面に形成され、その蓋（４）を開から閉方向に一定以上回動すると、ヒンジ部（３）の弾性により前記凹曲面が蓋（４）の外面側に凸曲面となり、その閉状態を自己保持するように形成されたことを特徴とする蓋付き容器である。
【０００７】
請求項３に記載の本発明は、前記線状柔軟部（４ａ）は、ヒンジ部（３）の厚みより薄く、幅の狭い線状に形成された請求項１に記載の蓋付き容器である。
請求項４に記載の本発明は、前記線状柔軟部（４ａ）は、その中間位置（Ｃ）が容器の本体部（２）側に位置する請求項１または請求項２に記載の蓋付き容器である。
【０００８】
請求項５に記載の本発明は、前記線状柔軟部（４ａ）は、その中間位置（Ｃ）が蓋（４）側に位置する請求項１または請求項２に記載の蓋付き容器である。
請求項６に記載の本発明は、前記三次元曲面（５）の平面が、偏平な木の葉形に形成された請求項１〜請求項５に記載の蓋付き容器である。
【発明の効果】
【０００９】
本発明は、容器の本体部２にヒンジ部３を介して蓋４が設けられたものにおいて、
前記ヒンジ部３に、他の部分に比べて厚み方向に柔軟に屈曲する線状の線状柔軟部４ａを有し、
その線状柔軟部４ａは、蓋４の付根の幅方向の一端Ａから他端Ｂに中間位置Ｃを介して滑らかな線状に連結され、その中間位置Ｃは、前記一端Ａと他端Ｂを結ぶ直線Ｓの外側に位置する。
そして、その線状柔軟部４ａを境として、ヒンジ部３と蓋４の付根との間に厚み方向に凹から凸に反転屈曲して弾性変形する三次元曲面５が設けられたものである。
その結果、線状の線状柔軟部４ａは、順に滑らかに通過する一端Ａ、中間位置Ｃ、他端Ｂが全体として湾曲し、その湾曲する線状柔軟部４ａを境に、凹から凸に反転する三次元曲面５が形成されたから、蓋の反転の前後の開き角度θ２（図１０）が大きくなる。即ち、蓋は柔軟な線状柔軟部４ａを境に反転するため、大きく開閉すると共に、その開き動作を円滑且つ、確実に行える効果がある。これは、湾曲する線状柔軟部４ａが、三次元曲面全体の反転する動作を、湾曲線を境に無駄なく効果的に補助するからである。
その結果、図１０に示す如く、本発明の蓋４の開き角度θ２は、図１５の従来の蓋４の開き角度θ１より、大きくなる（θ１＜θ２）。
【図面の簡単な説明】
【００１０】
【図１】本発明の第１実施例の蓋付き容器であって、その蓋４を開放した状態を示す斜視図。
【図２】同実施例の半断面斜視図及び部分拡大図。
【図３】同第１実施例の蓋４の閉塞状態を示す斜視図。
【図４】同半断面斜視図及び部分拡大図。
【図５】本発明の第２実施例の蓋付き容器であって、その蓋４を開放した状態を示す斜視図。
【図６】同第２実施例の半断面図及び部分拡大図。
【図７】同蓋４の閉塞状態を示す斜視図。
【図８】同半断面斜視図及び部分拡大図。
【図９】本発明の第３実施例の蓋付き容器の斜視図。
【図１０】本発明の蓋付き容器の開閉時における三次元曲面５の反転状態を説明する説明図。
【図１１】本発明の第４実施例の蓋付き容器の斜視図および蓋の開閉説明図。
【図１２】本発明の第５実施例の蓋付き容器の分解斜視図。
【図１３】同半断面斜視図および部分拡大図。
【図１４】同開閉説明図および部分拡大図。
【図１５】従来型蓋付き容器の開閉状態の説明図。
【発明を実施するための形態】
【００１１】
次に、図面に基づいて本発明の実施の形態につき説明する。
図１〜図４は本発明の第１実施例の蓋付き容器であって、図１はその蓋４の開放状態を示す説明図である。また、図２は図１において蓋付き容器の中心線Ｌ上での半断面斜視図（Ａ）、及び図２（Ａ）の部分拡大図である。
この例では、内部に収納部を有する本体部２の一側にヒンジ部３が延長され、そのヒンジ部３に蓋４が一体に接続されている。本体部２の上縁には、フランジ部１が形成されている。そしてフランジ部１の外側に比較的浅い着座部６が形成され、その着座部６の延長上にヒンジ部３が設けられている。そして蓋４は、それを閉じたとき、その周縁が本体部２の着座部６に整合するように形成されている（図３）。
【００１２】
次に、ヒンジ部３には線状柔軟部４ａが設けられている。
この線状柔軟部４ａは、滑らかな曲線で形成されている。その中間位置Ｃは、ヒンジ部３の両端である一端Ａと他端Ｂを結ぶ直線Ｓの中間位置であって、その直線Ｓの外側で、本体側に位置する。そして、線状柔軟部４ａは、一端Ａ、中間位置Ｃ、他端Ｂを滑らかに連結する浅い弧状に形成されている。この線状柔軟部４ａは、ヒンジ部３の厚みより薄くなるように形成したものである。この線状柔軟部４ａを境に蓋４の付根との間に三次元曲面５が形成されている。
この三次元曲面５は、図１及び図２の開状態では、蓋４の外面側に凹となる。この三次元曲面５は、線状柔軟部４ａと蓋４の付根に記載した一点鎖線の境界線Ｆとで囲まれた部分である。その範囲を外れた部分は変化しない。そして、線状柔軟部４ａを境に、三次元曲面５が形成されているため、その曲面が蓋４の厚み方向に柔軟に反転屈曲する。
【００１３】
次に、蓋４を本体部２の上端を閉塞するとき、線状柔軟部４ａに連続する三次元曲面５は凹の状態から外側に凸の状態に急激に変化する。これは一般のコイルバネに直線的に加えた外力の伸縮動作が、本件発明では三次元の曲面上で（三次元板バネとして）起こるからである。その変化の前後において、線状柔軟部４ａの存在により三次元曲面５が外側に凹から外側に凸に、円滑且つ明確に変化する。仮に、線状柔軟部４ａが存在しないと、三次元曲面５の凹から凸へのスイッチング動作は、より大きな外力を必要とする。
さらに、線状柔軟部４ａの存在で、三次元曲面５が凹から凸へ変化したとき、蓋４の開から閉になる開閉の角度θ２が大きくなる。
【００１４】
図１０は、それを説明する説明図である。
即ち、蓋４の実線状態（開）から鎖線の状態（閉）に移動したとき、その変化の前後における開き角度θ２が、従来の図１０における開き角度θ１より大きく且つ円滑に行われる。
なお、本発明の図１０において、線状柔軟部４ａは他端Ｂと中間位置Ｃを結ぶ曲線上にあり、その形状は図１に示す如く、水平面上で湾曲する。そして、湾曲する線状柔軟部４ａを境として三次元曲面５が存在する（線状柔軟部４ａ境界線Ｆで囲まれた範囲）。なお、同図で点Ｄは図２の点Ｄと同一の点を示し、半断面上（中心線上図１のＬ）の位置である。
これに対して、従来型の蓋付き容器では図１５に示す如く、線状柔軟部４ａが存在しないため、蓋４の開閉の前後において、図１０の場合の開き角度θ２よりも、小さい開き角度θ１になる。
【００１５】
次に、図５〜図８は本発明の第２実施例であり、この実施例が図１の場合と異なる点は、本体部２の側部に形成されたヒンジ部３の線状柔軟部４ａが、図５に示す如く、ヒンジ部３の一端Ａと他端Ｂを結ぶ直線Ｓよりもの蓋４側に湾曲存在することである。
これに対し、図１の例では、線状柔軟部４ａが一端Ａと他端Ｂとを結ぶ直線Ｓの本体部２側に湾曲する。
この例においても、三次元曲面５は線状柔軟部４ａと一点鎖線の境界線Ｆで囲まれた三日月形又は平面、木の葉形の範囲に形成され、蓋４の開放状態では三次元曲面５が蓋４の外側に凹状態となり、蓋４が閉塞した場合には、その三次元曲面５が蓋４の外側に凸状態となる。
実験によれば、図５の実施例の方が図１の実施例よりも、その開閉動作をより円滑に、行い、且つその閉状態をより強く保持した。
【００１６】
次に、図９は本発明の第３実施例であり、この例が図１の実施例と異なる点は、蓋４と本体部２との位置が入れ代わった点である。その作用・効果は変わらない。
次に、図１１は本発明の第４実施例の蓋付き容器の斜視図および、蓋４の開閉説明図である。この容器は、蓋４と本体部２とが別体に製作され、その本体部２の開口縁の一部で溶着等により接続されたものである。その線状柔軟部４ａは、本体部２の開口縁に円弧状に形成されている。
【００１７】
次に、図１２〜図１４は本発明の第５実施例の蓋付き容器であって、蓋４と本体部２とが着脱自在に接続または、蓋４が容器の本体部２の縁部で溶着等により接続されるものである。
この例は、図１２に示す如く、蓋４の一方の縁部に三次元曲面５を介して、細長い接続部７が一体に突設されている。そして、その蓋４の三次限曲面５の縁に線状柔軟部４ａが形成されている。本体部２は蓋４の接続部に整合する細長い箱状の嵌着部８が、その一方の縁部に一体に形成されている。本体部２と蓋４とは、着脱自在に接続しても、あるいは両者の縁部間を溶着してもよい。また、図１４はその作用を示す説明図である。
これら第４実施例、第５実施例の作用も前記各実施例と実質的に同一である。
【符号の説明】
【００１８】
１  フランジ部
２  本体部
３  ヒンジ部
４  蓋
４ａ  線状柔軟部
５  三次元曲面
６  着座部
７  接続部
８  嵌入部
【００１９】
Ａ  一端
Ｂ  他端
Ｃ  中間位置
Ｄ  点
Ｆ  境界線
Ｓ  直線
Ｌ  中心線
θ１  開き角度
θ２  開き角度
Ｒ１  曲率
Ｒ２  曲率
【図１】
2019038599.tif 000003
【図２】
2019038599.tif 000004
【図３】
2019038599.tif 000005
【図４】
2019038599.tif 000006
【図５】
2019038599.tif 000007
【図６】
2019038599.tif 000008
【図７】
2019038599.tif 000009
【図８】
2019038599.tif 000010
【図９】
2019038599.tif 000011
【図１０】
2019038599.tif 000012
【図１１】
2019038599.tif 000013
【図１２】
2019038599.tif 000014
【図１３】
2019038599.tif 000015
【図１４】
2019038599.tif 000016
【図１５】
2019038599.tif 000017